(57)【特許請求の範囲】
【請求項１】
識別情報（ＩＤ）と、
前記識別情報の送信を決定するＩＤ通知決定キーと、
通話中情報受信後における前記ＩＤ通知決定キーへの所定の操作に応じて前記識別情報の通知指定を送信する識別情報通知指定送信手段とを含む移動機であって、
前記通話中情報は基地局から送信され、
前記識別情報通知指定送信手段は前記識別情報の通知指定を前記基地局に対して送信し、
基地局から制御信号を用いて送信される識別情報通知を受信する識別情報通知受信手段と、
メモリをさらに含み、
受信した前記識別情報通知内の識別情報を前記メモリに格納し、
さらに表示部を含み、
前記メモリに格納した前記識別情報通知内の識別情報を通話が終了すると前記表示部に表示することを特徴とする移動機。
【請求項２】
前記識別情報通知指定送信手段が前記識別情報の通知指定を前記基地局に対して行う送信が、前記通話中情報が基地局から送信されてから所定時間内に前記識別情報通知指定送信手段が操作されたときのみ送信することを特徴とする請求項１記載の移動機。
【発明の詳細な説明】
【０００１】
【発明の属する技術分野】
本発明は移動機に関し、特に移動無線電話システムにおける移動機に関する。
【０００２】
【従来の技術】
従来、電話システムにおいては、予め自分の電話番号を相手に通知する設定にて発呼する発番号通知サービスによって、電話をかけても相手が電話機の側にいない時や着信音が聞こえない時等、相手と通話ができなかった場合に相手側の電話機に“○○さんより着信有り”と表示部に表示させる機能を持つものがある。
【０００３】
この電話システムでは、相手と通話ができなかった場合に相手側の電話機に“○○さんより着信有り”と表示部に表示させているので、相手が通話中であった時に上記のように自分からの着信があったことや自分の電話番号を相手に伝えることができない。
【０００４】
この問題を解決するために、キャッチホンサービスでは、上記の機能の代わりに、通話中の相手にある特定のトーンを発信させることによって相手側に第３者から電話がかかっていることを知らせ、今まで通話していた相手との話を一時中断し、第３者と話をすることができる。
【０００５】
【発明が解決しようとする課題】
上述した従来の電話システムでは、キャッチホンサービスを利用していれば、相手側に第３者から電話がかかっていることを知らせ、今まで通話していた相手との話を一時中断し、第３者と話をすることができる。
【０００６】
しかしながら、このキャッチホンサービスを利用できる人はオプションサービスとして契約している人に限られ、キャッチホンサービスを使用していない人へ電話をかけても相手が通話中であった場合、相手の通話が終わるまで何度も電話をかけなければならない。
【０００７】
そこで、本発明の目的は上記の問題点を解消し、通話中の相手先の電話機に自分からの着信があったことを知らせることができる移動機を提供することにある。
【０００８】
【課題を解決するための手段】
本発明による移動機は、発呼先の移動機が通話中の時に外部からの指示信号に応答して自機の識別情報を送信する送信手段と、他の移動機との通話中に前記制御信号を用いて送られてくる発呼元の移動機の識別情報を記憶する記憶手段と、前記他の移動機との通話が終了した時に前記記憶手段の内容を基に通話中の着信の有無を判定する判定手段と、前記判定手段が前記通話中の着信ありと判定した時に前記通話中の着信ありと前記発呼元の移動機の識別情報とを通知する通知手段とを含む。
【０００９】
本発明による移動機は、他の移動機との通話中に前記制御信号を用いて送られてくる前記発呼元の移動機の識別情報を記憶する記憶手段と、前記他の移動機との通話が終了した時に前記記憶手段の内容を基に通話中の着信の有無を判定する判定手段と、前記判定手段が前記通話中の着信ありと判定した時に前記通話中の着信ありと前記発呼元の移動機の識別情報とを通知する通知手段とを含む。
【００１０】
すなわち、本発明の移動機は、移動無線電話システムにおける通話中でも基地局と携帯端末との間で通話品質を保つための制御信号のやりとりを利用し、第３者と通話中の相手に電話をかけた時に相手側の電話機に発呼者の電話番号を記憶させ、相手側の通話が終了した時点で相手側の電話機の表示部に着信ありの文字と一緒に発呼者の電話番号を表示し、かつ固有の着信音を鳴動させることによって相手側に着信があったことを知らせている。
【００１１】
これによって、電話をかけた先の相手が通話中であっても、一度電話をかけることで相手に自分の電話番号を通知して着信が有ったことを知らせることが可能になるので、相手の通話が終わるまで何度も電話をかける必要がなくなる。
【００１２】
【発明の実施の形態】
次に、本発明の実施例について図面を参照して説明する。図１は本発明の一実施例による電話番号通知システムの構成を示すブロック図である。図１において、本発明の一実施例による電話番号通知システムは基地局１と、移動機２とから構成され、移動機２が基地局１を通して移動無線電話を行う移動無線電話システムである。
【００１３】
基地局１は無線通信を司るアンテナ１１と、無線部１２と、周辺ＩＣ（集積回路）１３と、ＣＰＵ（中央処理装置）１４と、ＲＯＭ（Ｒｅａｄ  Ｏｎｌｙ  Ｍｅｍｏｒｙ）１５と、記憶メモリ１６とから構成されている。
【００１４】
ＣＰＵ１４はＲＯＭ１５のプログラム情報にしたがって周辺ＩＣ１３による音声処理の制御と、無線部１２の制御とを行う。記憶メモリ１６はＣＰＵ１４の作業エリアとして使用されるほかに、発番号通知サービスによる発呼者のＩＤ（識別）情報を記憶する。
【００１５】
移動機２は無線通信を司るアンテナ２１と、無線部２２と、周辺ＩＣ２３と、ＣＰＵ２４と、ＲＯＭ２５と、記憶メモリ２６と、電話番号の入力用のキーパッド２７と、表示を司る表示部２９と、着信時に鳴動するリンガ３０と、音声信号を入力する入力部（ＭＩＣ）３１と、音声信号を出力する出力部（ＲＥＣ）３２とから構成されている。ここで、キーパッド２７は自分のＩＤ情報を相手に通知する制御を要求するためのＩＤ通知決定キー２８を持つ。
【００１６】
ＣＰＵ２４はＲＯＭ２５のプログラム情報にしたがって周辺ＩＣ２３による音声処理の制御や無線部２２の制御を行う。記憶メモリ２６はＣＰＵ２４の作業エリアとして使用したり、電話帳データや音声データを記憶する。
【００１７】
尚、基地局１と移動機２とは移動機２の発呼時や着呼時、及び通話時に移動機２がどのエリアに、つまり移動機２が基地局１の通信エリア内にあるかどうかを確認したり、その通話品質を維持したりするための制御信号のやりとりを行っている。
【００１８】
移動機２のＣＰＵ２４は基地局１から通話中情報が送られてきた時にキーパッド２７のＩＤ通知決定キー２８が押下されると、周辺ＩＣ２３及び無線部２２を制御して基地局１へＩＤ情報通知指定及び自機のＩＤ情報を転送する。
【００１９】
尚、ＩＤ情報としては電話番号、移動機２の使用者名、特有の符号等が使用可能である。但し、電話番号を用いれば、その電話番号への発呼を即座に行うことができる。
【００２０】
また、ＣＰＵ２４は他の移動機との通話中に基地局１からの制御信号で発呼元のＩＤ情報の転送を受けると、他の移動機との通話をそのまま維持しながら記憶メモリ２６へ発呼元のＩＤ情報を格納し、着信があったことを記憶する。ＣＰＵ２４は他の移動機との通話が終了すると、記憶メモリ２６の内容を確認し、通話中に着信があれば、記憶メモリ２６内の通話中の発呼元のＩＤ情報を表示部２８に表示し、通話中に着信があったことを通知する。
【００２１】
図２は本発明の一実施例による通話中の電話番号通知処理を示すシーケンスチャートであり、図３は図１の移動機２の発呼処理を示すフローチャートであり、図４は図１の基地局１の交換処理を示すフローチャートであり、図５は図１の移動機２における通話中の電話番号通知処理を示すフローチャートである。図３〜図５に示す処理動作はＣＰＵ１４，２４がＲＯＭ１５，２５のプログラム情報に基づいて制御を行うことで実現され、ＲＯＭ１５，２５の代りにＩＣ（集積回路）メモリ等を使用することも可能である。
【００２２】
これら図１〜図５を参照して本発明の一実施例による通話中に着呼した電話番号の通知処理について説明する。ここで、図２に示す基地局は図１の基地局１を指しており、移動機Ａ，Ｂ，Ｃは図１の移動機２と同様の構成となっている。また、移動機Ａ，Ｂ，Ｃの内部構成の呼称を区別するため、例えば移動機Ａの無線部を無線部Ａ２２、移動機ＢのＣＰＵをＣＰＵＢ２２というように表現するものとする。
【００２３】
移動機Ｂが他の移動機Ｃと通話中の所へ移動機Ａが移動機Ｂへ発呼した場合（図３ステップＳ１）、基地局１のＣＰＵ１４は移動機Ｂが他の移動機Ｃと通話中であるため（図４ステップＳ１１，Ｓ１２）、周辺ＩＣ１３と無線部１２とを制御して移動機Ａへ通話中情報を送る（図４ステップＳ１５）。
【００２４】
これを受けた移動機ＡのＣＰＵＡ２４は周辺ＩＣＡ２３を制御して話中音を発生させてＲＥＣＡ３２より出力し、移動機Ａの使用者に話中であることを知らせる。例えば、移動機Ａの使用者がキーパッドＡ２７にあるＩＤ通知決定キーＡ２８を押下すると（図３ステップＳ２，Ｓ５，Ｓ６）、ＣＰＵＡ２４は周辺ＩＣＡ２３及び無線部Ａ２２を制御して基地局１へＩＤ情報通知指定及び移動機ＡのＩＤ情報の転送を行い（図３ステップＳ９）、その後待ち受けの状態へ移行する（図３ステップＳ１０）。
【００２５】
尚、ＣＰＵＡ２４は移動機Ａの使用者がキーパッドＡ２７にあるＩＤ通知決定キーＡ２８を予め設定された所定時間内に押下されなければ（図３ステップＳ６〜Ｓ８）、その後待ち受けの状態へ移行する（図３ステップＳ１０）。
【００２６】
基地局１のＣＰＵ１４は移動機ＡからＩＤ情報通知指定を受けると（図４ステップＳ１６）、転送されてきた移動機ＡのＩＤ情報を移動機Ｃと通話中の移動機Ｂへ送信する制御信号に組込み、移動機ＡのＩＤ情報を移動機Ｂへ転送し（図４ステップＳ１９）、移動機Ａとの無線接続の解放処理を行う（図４ステップＳ２０）。
【００２７】
尚、ＣＰＵ１４は予め設定された所定時間内に移動機ＡからＩＤ情報通知指定を受けなければ（図４ステップＳ１６〜Ｓ１８）、移動機Ａとの無線接続の解放処理を行う（図４ステップＳ２０）。
【００２８】
移動機ＢのＣＰＵＢ２４は基地局１からの制御信号でＩＤ情報の転送を受けると、移動機Ｃとの通話をそのまま維持しながら記憶メモリＢ２６へ移動機ＡのＩＤ情報を格納し、着信があったことを記憶しておく（図５ステップＳ２１）。
【００２９】
移動機ＢのＣＰＵＢ２４は移動機Ｃとの通話が終了すると（図５ステップＳ２２，Ｓ２３）、記憶メモリＢ２６の内容を確認して移動機Ｃとの通話中に着信があったかどうかを調べる（図５ステップＳ２４）。ＣＰＵＢ２４は通話中の着信がなければそのまま待ち受け状態へ移行する（図５ステップＳ２７）。
【００３０】
ＣＰＵＢ２４は着信がかかっていた場合、予め記憶メモリＢ２６へ格納しておいた移動機ＡのＩＤ情報を表示部Ｂ２８へ、例えば着信ありの文字と一緒に表示し（図５ステップＳ２５）、リンガＢ３０を予め設定された一定時間鳴動して移動機Ｂの使用者に通話中に着信があったことを知らせ（図５ステップＳ２６）、待ち受け状態へ移行する（図５ステップＳ２７）。
【００３１】
以上のようなシステム構成をとることによって、移動機Ｂの使用者は表示された着信ありの文字及び移動機ＡのＩＤを知ることで、即座に移動機Ａへ発呼することができる。
【００３２】
一方、移動機Ａが移動機Ｂへ発呼した時（図３ステップＳ１）、移動機Ｂが他の移動機Ｃと通話中でなければ（図３ステップＳ２）、基地局１のＣＰＵ１４が周辺ＩＣ１３と無線部１２とを制御して移動機Ａと移動機Ｂとの接続処理を行うので（図４ステップＳ１３）、移動機Ａでは移動機Ｂとの通話処理が行われる（図３ステップＳ３）。
【００３３】
基地局１のＣＰＵ１４はこの移動機Ａと移動機Ｂとの通話処理が終了すると（図３ステップＳ４及び図４ステップＳ１４）、移動機Ａと移動機Ｂとの無線接続の解放処理を行うので（図４ステップＳ２０）、その後、移動機Ａは待ち受けの状態へ移行する（図３ステップＳ１０）。
【００３４】
図６は本発明の他の実施例による通話中の電話番号通知処理を示すシーケンスチャートであり、図７は本発明の他の実施例による移動機の発呼処理を示すフローチャートであり、図８は本発明の他の実施例による基地局の交換処理を示すフローチャートである。図３〜図５に示す処理動作はＣＰＵ１４，２４がＲＯＭ１５，２５のプログラム情報に基づいて制御を行うことで実現され、ＲＯＭ１５，２５の代りにＩＣ（集積回路）メモリ等を使用することも可能である。
【００３５】
尚、本発明の他の実施例はそのシステム構成が本発明の一実施例と同様であるので、本発明の他の実施例でも図１のシステム構成を用いて説明する。また、本発明の他の実施例による移動機の通話中の電話番号通知処理は図５と同様である。
【００３６】
これら図１と図５と図６〜図８を参照して本発明の他の実施例による通話中に着呼した電話番号の通知処理について説明する。ここで、図６に示す基地局は図１の基地局１を指しており、移動機Ａ，Ｂ，Ｃは図１の移動機２と同様の構成となっている。また、移動機Ａ，Ｂ，Ｃの内部構成の呼称を区別するため、例えば移動機Ａの無線部を無線部Ａ２２、移動機ＢのＣＰＵをＣＰＵＢ２２というように表現するものとする。
【００３７】
移動機Ｂが移動機Ｃと通話中の所へ、発番号通知設定を行っている移動機Ａが移動機Ｂへ発呼した場合（図７ステップＳ３１，Ｓ３２）、基地局１１のＣＰＵ１４は移動機Ａからの発番号通知設定を受けて、予め移動機ＡのＩＤ情報を記憶メモリ１６へ格納しておく（図８ステップＳ４１）。
【００３８】
ここで、基地局１のＣＰＵ１４は発呼先の移動機Ｂへの接続処理を行って移動機Ｂが移動機Ｃと通話中であると判断すると（図８ステップＳ４２，Ｓ４３）、周辺ＩＣ１３と無線部１２とを制御して移動機Ａへ通話中情報を送る（図８ステップＳ４６）。
【００３９】
この通話中情報を受けた移動機ＡのＣＰＵＡ２４は周辺ＩＣＡ２３を制御して話中音を発生させてＲＥＣＡ３２より出力し、移動機Ａの使用者に移動機Ｂが話中であることを知らせた後に待ち受け状態へ移行する（図７ステップＳ３６）。
【００４０】
さらに、基地局１のＣＰＵ１４は特に移動機Ａの使用者による判断を受けずに、発番号通知設定によって予め記憶メモリ１６へ格納しておいた移動機ＡのＩＤ情報を、移動機Ｃと通話中の移動機Ｂへ送信する制御信号に組込み、移動機Ｂへ移動機ＡのＩＤ情報を転送し（図８ステップＳ４７，Ｓ４８）、移動機Ａとの無線接続の解放処理を行う（図８ステップＳ４９）。但し、移動機Ａが発番号通知設定を行っていなければ、ＣＰＵ１４は移動機Ａへ通話中情報を送ってから（図８ステップＳ４６）、移動機Ａとの無線接続の解放処理を行う（図８ステップＳ４７，Ｓ４９）。
【００４１】
移動機ＢのＣＰＵＢ２４は基地局１からの制御信号でＩＤ情報の転送を受けると、移動機Ｃとの通話をそのまま維持しながら記憶メモリＢ２６へ移動機ＡのＩＤ情報を格納し、着信があったことを記憶しておく（図５ステップＳ２１）。
【００４２】
移動機ＢのＣＰＵＢ２４は移動機Ｃとの通話が終了すると（図５ステップＳ２２，Ｓ２３）、記憶メモリＢ２６の内容を確認して移動機Ｃとの通話中に着信があったかどうかを調べる（図５ステップＳ２４）。ＣＰＵＢ２４は通話中の着信がなければそのまま待ち受け状態へ移行する（図５ステップＳ２７）。
【００４３】
ＣＰＵＢ２４は着信がかかっていた場合、予め記憶メモリＢ２６へ格納しておいた移動機ＡのＩＤ情報を表示部Ｂ２８へ、例えば着信ありの文字と一緒に表示し（図５ステップＳ２５）、リンガＢ３０を予め設定された一定時間鳴動して移動機Ｂの使用者に通話中に着信があったことを知らせ（図５ステップＳ２６）、待ち受け状態へ移行する（図５ステップＳ２７）。
【００４４】
一方、移動機Ａが移動機Ｂへ発呼した時（図７ステップＳ３１）、移動機Ｂが他の移動機Ｃと通話中でなければ（図３ステップＳ３３）、基地局１のＣＰＵ１４が周辺ＩＣ１３と無線部１２とを制御して移動機Ａと移動機Ｂとの接続処理を行うので（図８ステップＳ４４）、移動機Ａでは移動機Ｂとの通話処理が行われる（図７ステップＳ３４）。
【００４５】
基地局１のＣＰＵ１４はこの移動機Ａと移動機Ｂとの通話処理が終了すると（図７ステップＳ３５及び図８ステップＳ４５）、移動機Ａと移動機Ｂとの無線接続の解放処理を行うので（図８ステップＳ４９）、その後、移動機Ａは待ち受けの状態へ移行する（図７ステップＳ３６）。
【００４６】
このように、電話をかけた先の相手が通話中であっても、一度電話をかけることによって、相手先へ基地局１から送られている制御信号を利用して相手先に自分の電話番号を通知して着信が有ったことを知らせることができるので、相手先の通話が終わるまで何度も電話をかける必要がなくなる。
【００４７】
【発明の効果】
以上説明したように本発明によれば、発呼先の移動機が通話中の時に外部からの指示信号に応じて自機の識別情報を送信させ、他の移動機との通話中に制御信号を用いて送られてくる発呼元の移動機の識別情報を記憶させ、他の移動機との通話が終了した時に通話中の着信の有無を判定させ、通話中の着信ありと判定した時に通話中の着信ありと発呼元の移動機の識別情報とを通知させることによって、通話中の相手先の電話機に自分からの着信があったことを知らせることができるという効果がある。
【図面の簡単な説明】
【図１】本発明の一実施例による電話番号通知システムの構成を示すブロック図である。
【図２】本発明の一実施例による通話中の電話番号通知処理を示すシーケンスチャートである。
【図３】図１の移動機の発呼処理を示すフローチャートである。
【図４】図１の基地局の交換処理を示すフローチャートである。
【図５】図１の移動機における通話中の電話番号通知処理を示すフローチャートである。
【図６】本発明の他の実施例による通話中の電話番号通知処理を示すシーケンスチャートである。
【図７】本発明の他の実施例による移動機の発呼処理を示すフローチャートである。
【図８】本発明の他の実施例による基地局の交換処理を示すフローチャートである。
【符号の説明】
１  基地局
２  移動機
１１，２１  アンテナ
１２，２２  無線部
１３，２３  周辺ＩＣ
１４，２４  ＣＰＵ
１５，２５  ＲＯＭ
１６，２６  記憶メモリ
２７  キーパッド
２８  ＩＤ通知決定キー
２９  表示部
３０  リンガ
３１  入力部（ＭＩＣ）
３２  出力部（ＲＥＣ）
【図１】
0004086513.tif 000002
【図２】
0004086513.tif 000003
【図３】
0004086513.tif 000004
【図４】
0004086513.tif 000005
【図５】
0004086513.tif 000006
【図６】
0004086513.tif 000007
【図７】
0004086513.tif 000008
【図８】
0004086513.tif 000009